(57)【特許請求の範囲】
【請求項１】
前面アクセス型又は背面アクセス型で使用するように構成可能な情報記録媒体の提供装置であって、
中央ハンドル端と中央取得端とを画定する中央トラックを含むシャーシと、
前記シャーシの前記中央取得端に結合されたノーズであって、
（ｉ）前記シャーシの遠位側の提供端と、
（ｉｉ）前記中央トラックに結合するように構成されたノーズトラックと、
（ｉｉｉ）前記シャーシの前記中央取得端から取得端へ延在する重なり部と、
を含むノーズと、
前記シャーシに結合され、前記シャーシのハンドル端から前記中央ハンドル端へ延在する着脱可能なトラックと、を備え、
前記ノーズトラック、前記中央トラック、及び前記着脱可能なトラックが組み合わさって前記ハンドル端から前記提供端へ延在する提供トラックを提供し、
前記ハンドル端と前記中央ハンドル端との間の距離が前記中央取得端と前記取得端との間の距離にほぼ等しく、したがって前記提供装置が背面アクセス型ディスペンサ内で顧客に情報記録媒体アイテムを提供でき、前記ノーズと前記着脱可能なトラックの位置を入れ替えることで前記提供装置を再構成して前面アクセス型ディスペンサ内で顧客に情報記録媒体アイテムを提供する情報記録媒体の提供装置。
【請求項２】
前記情報記録媒体の提供装置が、前記提供トラック上に装着され、当該提供トラックに沿って移動するキャリッジ板に結合されたキャリッジ本体を備えるキャリッジを、さらに備え、
当該キャリッジは、
（ｉ）情報記録媒体アイテムのスタックを前記キャリッジ本体と前記キャリッジ板との間に維持し、
（ｉｉ）前記キャリッジのハンドル側の前面アクセス型提供経路又は前記キャリッジの取得側の背面アクセス型提供経路を介して情報記録媒体アイテムのスタックをキャリッジから搬送する、請求項１に記載の情報記録媒体の提供装置。
【請求項３】
前記シャーシが、各々が中央ハンドル端と中央取得端とを画定する１対の対向する中央トラックを備え、前記ノーズが、１対の対向するノーズトラックを備え、２つの着脱可能なトラックが提供されて、２つの平行な提供トラックが前記キャリッジの両側に１つずつ提供される、請求項２に記載の情報記録媒体の提供装置。
【請求項４】
前記ノーズが、前記ノーズトラックに結合してより長いノーズが必要な時に前記提供端を延長する着脱可能なスナウトをさらに備える、請求項１に記載の情報記録媒体の提供装置。
【請求項５】
前記情報記録媒体の提供装置が、第１の停止位置に前記着脱可能なトラックに着脱可能に結合された第１のバッファと、前記提供端の近位側の第２の停止位置に前記ノーズトラックに着脱可能に結合された第２のバッファとをさらに備え、前記第１及び第２のバッファの各々を取り外して前記キャリッジをそれぞれ前記第１又は第２の停止位置より先へ移動させて前記キャリッジを前記トラックから取り外すことができる、請求項１に記載の情報記録媒体の提供装置。
【請求項６】
前記情報記録媒体の提供装置が、ピックユニットから取得された情報記録媒体アイテムを受け取るように構成された情報記録媒体アイテム搬送ユニットをさらに備える、請求項１に記載の情報記録媒体の提供装置。
【請求項７】
前記情報記録媒体アイテム搬送ユニットが、紙幣搬送ユニットを備える、請求項６に記載の情報記録媒体の提供装置。
【請求項８】
前面アクセス型又は背面アクセス型ディスペンサと併用するために反転可能な情報記録媒体の提供装置であって、
第１の端部と第２の端部を画定する中央トラックを含むシャーシと、
前記中央トラックの前記第１又は第２の端部で前記シャーシに結合されたノーズであって、
（ｉ）前記シャーシの遠位側の提供端と、
（ｉｉ）前記中央トラックに結合して前記シャーシから前記提供端へ連続するトラックを提供するように構成されたノーズトラックと、を含むノーズと、
前記中央トラックの前記第１又は第２の端部とは逆の前記シャーシの端部に結合された着脱可能なトラックと、を備え、
前記中央トラック、前記ノーズトラック、及び前記着脱可能なトラックの組み合わせが協働して前記シャーシの一端から前記シャーシの反対側の端部を通って前記提供端へ延在する提供トラックを提供する情報記録媒体の提供装置。
【請求項９】
前記提供トラックが、可動式キャリッジ上の歯車に係合する直線の歯付きラックを備える、請求項８に記載の情報記録媒体の提供装置。
【請求項１０】
前面アクセス型又は背面アクセス型ディスペンサと併用するために反転可能な情報記録媒体の提供装置であって、
２つの対向する端部の各々に連結器を画定する中央トラックを含むシャーシと、
それに沿って延在し、前記２つの中央トラック連結器のいずれかに係合する一端の連結器を画定するトラックを含む着脱可能な提供装置と、
前記２つの中央トラック連結器のいずれかに係合する一端の連結器を画定する着脱可能なトラックと、
を備える情報記録媒体の提供装置。
【発明の詳細な説明】
【技術分野】
【０００１】
本発明は、紙幣やチケット等の情報記録媒体を顧客に提供するセルフサービス端末における情報記録媒体の提供装置に関し、特に装置内において情報記録媒体を移動させる機構の構成技術に関する。
【背景技術】
【０００２】
情報記録媒体の提供装置は、情報記録媒体ディスペンサの一部として使用される。情報記録媒体の提供装置は、情報記録媒体アイテムを顧客に提供するディスペンサの一部である。一般的なタイプの情報記録媒体ディスペンサとしてシート形態の情報記録媒体アイテム（例えば、紙幣、チケット、クーポンなど）の束（又はスタック）をディスペンスするシート束情報記録媒体ディスペンサがある。
【０００３】
束の情報記録媒体の提供装置は、通常、１つ又は複数の情報記録媒体ピックユニットに結合されている。各情報記録媒体ピックユニットは、内蔵の情報記録媒体カセット（又はホッパ）から個々の情報記録媒体アイテムを取得し、取得した情報記録媒体アイテムを情報記録媒体の提供装置へ搬送し、情報記録媒体アイテムを束に揃え（例えば、バリスティックスタッカ又はスタッキングホイールを用いて）、次に情報記録媒体アイテムの束を顧客に提供する。顧客が提供された束を取り出さない場合、提供装置は束を引っ込めてパージビンへ搬送する。
【０００４】
幾つかの情報記録媒体ディスペンサは前面アクセス型である。これは、情報記録媒体アイテムが顧客にディスペンスされるのと同じ情報記録媒体ディスペンサの側に情報記録媒体カセットが挿入されるということを意味する。また、背面アクセス型の情報記録媒体ディスペンサもある。これは、情報記録媒体アイテムが顧客にディスペンスされるのと逆の情報記録媒体ディスペンサの側に情報記録媒体カセットが挿入されるということを意味する。
【発明の概要】
【発明が解決しようとする課題】
【０００５】
改良型の情報記録媒体アイテムの提供装置を提供することが望ましい。また、わずかな改造によって前面アクセス型又は背面アクセス型情報記録媒体ディスペンサのいずれとも併用でき、両者の情報記録媒体の提供装置に同一の部品を使用できる情報記録媒体アイテムの提供装置を提供することが望ましい。多数の共通部品を有することで部品の在庫が低減するため、製造及び保守コストが低減される。
【課題を解決するための手段】
【０００６】
したがって、本発明は、一般に、反転可能な情報記録媒体の提供装置を提供する。
【０００７】
本発明の第１の態様によれば、前面アクセス型又は背面アクセス型で使用するように構成可能な情報記録媒体の提供装置であって、中央ハンドル端と中央取得端とを画定する中央トラックを含むシャーシと、シャーシの中央取得端に結合されたノーズであって、（ｉ）シャーシの遠位側の提供端と、（ｉｉ）中央トラックに結合するように構成されたノーズトラックと、（ｉｉｉ）シャーシの中央取得端から取得端へ延在する重なり部とを含むノーズと、シャーシに結合され、シャーシのハンドル端から中央ハンドル端へ延在する着脱可能なトラックとを備え、ノーズトラック、中央トラック、及び着脱可能なトラックが組み合わさってハンドル端から提供端へ延在する提供トラックを提供し、ハンドル端と中央ハンドル端との間の距離が中央取得端と取得端との間の距離にほぼ等しく、したがって提供装置が背面アクセス型ディスペンサ内で顧客に情報記録媒体アイテムを提供でき、ノーズと着脱可能なトラックの位置を入れ替えることで提供装置を再構成して前面アクセス型ディスペンサ内で顧客に情報記録媒体アイテムを提供できる情報記録媒体の提供装置が提供される。
【０００８】
情報記録媒体の提供装置は、提供トラック上に装着され、それに沿って移動し、キャリッジ板に結合されたキャリッジ本体を備えるキャリッジであって、（ｉ）情報記録媒体アイテムのスタックをキャリッジ本体とキャリッジ板との間に維持し、（ｉｉ）キャリッジのハンドル側の前面アクセス型提供経路又はキャリッジの取得側の背面アクセス型提供経路を介して情報記録媒体アイテムのスタックをキャリッジから搬送するように構成されたキャリッジをさらに備えてもよい。
【０００９】
シャーシは、各々が中央のハンドル端と中央の取得端とを画定する１対の対向する中央トラックを備えてもよい。ノーズは、１対の対向するノーズトラックを含んでもよい。さらに、１対の着脱可能なトラックを提供でき、したがって、キャリッジの両側に１つずつ、計２つの平行な提供トラックが提供される。
【００１０】
ノーズは、ノーズトラックに結合し、背面アクセス型ディスペンサのために前面アクセス型ディスペンサの場合と比べてより長いノーズが必要な時に提供端を延在する着脱可能なスナウトをさらに備えてもよい。
【００１１】
情報記録媒体の提供装置は、第１の停止位置に着脱可能なトラックに着脱可能に結合された第１のバッファと、提供端の近位側の第２の停止位置にノーズトラックに着脱可能に結合された第２のバッファとをさらに備えてもよく、第１及び第２のバッファの各々を取り外してキャリッジをそれぞれ第１又は第２の停止位置より先へ移動させてキャリッジをトラックから取り外すことができる。
【００１２】
キャリッジは、キャリッジが提供トラックに沿って動く際に提供トラック上に装着されたターゲットを検知するための提供トラックに整列したセンサを含んでもよい。
【００１３】
この態様によって、情報記録媒体の提供装置を前面アクセス型ディスペンサ又は背面アクセス型ディスペンサ上で使用できるように、情報記録媒体の提供装置をシャーシの両端にノーズを有する（またノーズと反対側のシャーシの端部に着脱可能なトラックを有する）構成にすることができる。
【００１４】
第２の態様によれば、前面アクセス型又は背面アクセス型ディスペンサと併用するために反転可能な情報記録媒体の提供装置であって、第１の端部と第２の端部を画定する中央トラックを含むシャーシと、中央トラックの第１又は第２の端部でシャーシに結合されたノーズであって、（ｉ）シャーシの遠位側の提供端と、（ｉｉ）中央トラックに結合してシャーシから提供端へ連続するトラックを提供するように構成されたノーズトラックとを含むノーズと、中央トラックの第１又は第２の端部とは逆のシャーシの端部に結合された着脱可能なトラックとを備え、中央トラック、ノーズトラック、及び着脱可能なトラックの組み合わせが協働してシャーシの一端からシャーシの反対側の端部を通って提供端へ延在する提供トラックを提供する情報記録媒体の提供装置が提供される。
【００１５】
提供トラックは、可動式キャリッジ上の歯車に係合する直線の歯付きラックを備えてもよい。
【００１６】
中央トラックは、ノーズと反対側のシャーシの端部（ブランク端）からシャーシのノーズ端まで延在してもよい。あるいは、情報記録媒体の提供装置は、ブランク端でシャーシに装着され、中央トラックに結合して整列してシャーシのブランク端からシャーシのノーズ端を通ってノーズの提供端へ延在する提供トラックを提供する着脱可能なトラックを備えてもよい。着脱可能なトラックは、シャーシに接触するノーズの部分と同様の寸法であってもよい。これによって、情報記録媒体の提供装置を前面アクセス型ディスペンサ又は背面アクセス型ディスペンサ上で使用できるように、情報記録媒体の提供装置をシャーシの両端にノーズを有する（またノーズと反対側のシャーシの端部に着脱可能なトラックを有する）構成にすることができる。
【００１７】
情報記録媒体の提供装置は、提供トラック上に装着され、それに沿って移動するキャリッジであって、リンク機構によってキャリッジ板に結合されたキャリッジ本体を備え、情報記録媒体アイテムをキャリッジ板上に配置できる開位置と、キャリッジ板とキャリッジ本体との間に情報記録媒体アイテムをクランプする閉位置との間でキャリッジ板が移動可能なキャリッジをさらに備えてもよい。
【００１８】
キャリッジ本体は、キャリッジシャーシと、キャリッジシャーシ上に装着され、キャリッジ板側に弾性的に付勢された上板と、上板に装着され、複数の伸縮ベルトを含む上部搬送部と、シャーシ上に装着され、上板の上方に位置するモータとを備えてもよい。
【００１９】
キャリッジ板は、複数の伸縮ベルトを含む下部搬送部をさらに備えてもよく、モータは、上部搬送部及び下部搬送部を制御してキャリッジの取得端又は取得端と反対側のキャリッジのハンドル端から情報記録媒体アイテムの束を搬送させるように動作可能である。
【００２０】
モータは、（ｉ）情報記録媒体アイテムの束をパージ容器へ搬送する時にはハンドル端から、（ｉｉ）情報記録媒体アイテムの束を顧客に提供する時には取得端から、情報記録媒体アイテムの束を搬送するように動作可能であってもよい。
【００２１】
リンク機構は、（ｉ）キャリッジ板を情報記録媒体入口端でキャリッジ本体に結合する第１の１対のリンクアームと、（ｉｉ）キャリッジ板を入口端と反対側の非入口端でキャリッジ本体に結合する第２の１対のリンクアームとを備えてもよい。
【００２２】
モータは、キャリッジの情報記録媒体入口端の遠位側で、キャリッジの非入口端の近位側の装着ポイントでシャーシに装着可能である。
【００２３】
キャリッジシャーシは、キャリッジシャーシを反転すると、モータ装着位置が情報記録媒体入口端の近位側で、キャリッジの非入口端の遠位側になるように反転可能であってもよい。
【００２４】
ノーズトラック、中央トラック、及び着脱可能なトラックは各々、キャリッジの一部を支持するように構成されたトラックシェルフ部分を提供してもよい。キャリッジの上記部分は、カムフォロワ（例えば、ピン、棒、又はその他のシャフト上に装着された軸受（すべり軸受又は玉軸受など）であってキャリッジ板から横方向に延在する軸受の形態）を含んでもよい。
【００２５】
情報記録媒体の提供装置は、シャーシに結合され、キャリッジ板が開位置にある時にキャリッジ板上に配置された情報記録媒体アイテムを整列状態に維持する位置合わせデバイスをさらに備えてもよい。
【００２６】
位置合わせデバイスは、キャリッジ板が開位置にある時にキャリッジ板の上方に延在する複数のフィンガを備えてもよく、該複数のフィンガは、（ｉ）シャーシに枢動自在に結合され、（ｉｉ）キャリッジ板側へ弾性的に付勢されている。
【００２７】
キャリッジ板は、キャリッジ板が開位置へ移動した時に複数のフィンガを偏向させて情報記録媒体アイテムを複数のフィンガの上方で搬送し、キャリッジ板上に配置するように構成されたバンパーを情報記録媒体入口端にさらに備えてもよい。
【００２８】
フィンガは、バンパーによって完全に偏向させられた時に、フィンガが情報記録媒体アイテムがキャリッジ板上に配置された後に対向する位置合わせ縁部を提供するように配置され構成されてもよい。
【００２９】
キャリッジ板は、閉鎖位置に戻る時に閉鎖経路を横切ってもよく、フィンガはバンパーに付勢され、閉鎖経路の第１の部分中にキャリッジ板上に位置合わせしたスタックとして情報記録媒体アイテムを維持してもよい。フィンガは、閉鎖経路の第２の部分中にバンパー及び情報記録媒体アイテムスタックとの接触を停止してもよい。
【００３０】
リンク機構は、（ｉ）閉鎖経路の第１の部分中の情報記録媒体アイテムが重力によって滑落する比較的急峻な角度から（ｉｉ）閉鎖経路の第２の部分中の情報記録媒体アイテムが重力によって滑落しない比較的浅い角度へキャリッジ板を移動させてもよい。
【００３１】
また、中央トラックは、そのトラックシェルフ部内にカムブロックギャップを画定してもよい。
【００３２】
情報記録媒体の提供装置は、キャリッジ板が開位置にある時にピックユニットから取得された情報記録媒体アイテムを受け取り、取得された情報記録媒体アイテムをキャリッジへ搬送するように構成された情報記録媒体アイテム搬送ユニットをさらに備えてもよい。情報記録媒体アイテム搬送ユニットは、情報記録媒体アイテムが許容判定基準を満足しない場合に（例えば、情報記録媒体アイテムが許容限度より厚く、すなわち、複数の重畳された情報記録媒体アイテムが単一のアイテムとして搬送される場合、情報記録媒体アイテムが傾いている場合、情報記録媒体アイテムが破れている場合など）搬送された情報記録媒体アイテムをパージビンのパージ区画へ方向転換するように動作してもよい。
【００３３】
情報記録媒体アイテム搬送ユニットは、複数の重畳された情報記録媒体アイテム、傾いた情報記録媒体アイテムなどを検出する情報記録媒体アイテム厚さセンサをさらに備えてもよい。情報記録媒体アイテム厚さセンサは、情報記録媒体アイテムの厚さを検出する光学的、機械的及び／又は磁気的システムを使用してもよい。情報記録媒体アイテム厚さセンサは周知である。
【００３４】
情報記録媒体アイテムは、紙幣、チケット、クーポンなどを含んでもよい。
【００３５】
第３の態様によれば、第１の態様の情報記録媒体の提供装置に結合されたピックユニットを備える情報記録媒体ディスペンサが提供される。
【００３６】
第４の態様によれば、第３の態様の情報記録媒体ディスペンサを組み込むセルフサービス端末が提供される。セルフサービス端末は現金自動預払機であってもよい。
【００３７】
第５の態様によれば、前面アクセス型又は背面アクセス型ディスペンサと併用するために反転可能な情報記録媒体の提供装置であって、２つの対向する端部の各々に連結器を画定する中央トラックを含むシャーシと、それに沿って延在し、２つの中央トラック連結器のいずれかに係合する一端の連結器を画定するトラックを含む着脱可能な提供装置と、２つの中央トラック連結器のいずれかに係合する一端の連結器を画定する着脱可能なトラックとを備える情報記録媒体の提供装置が提供される。
【００３８】
中央トラック連結器は、１つ又は複数の突起を有してもよい。着脱可能な提供装置連結器は、１つ又は複数の中央トラックの突起と相補的な１つ又は複数の凹部を含んでもよい。着脱可能なトラック連結器は、１つ又は複数の中央トラックの突起と相補的な１つ又は複数の凹部を含んでもよい。
【００３９】
相補的な連結器は、例えば、スナップ嵌め、締り嵌めを提供してもよく、又はねじで固定してもよい。
【００４０】
説明を分かりやすく簡潔にするために、上記の態様で提供された要素はそのすべての組合せを明示しているわけではない。それにもかかわらず、技術的に不可能でない限り、又はその逆の内容が明示されていない限り、１つの態様を指すコンシストリクローズ（ｃｏｎｓｉｓｔｏｒｙ  ｃｌａｕｓｅ）は、それらのコンシストリクローズが関連する可能性があるすべての他の態様のオプションの特徴として準用されることを当業者であれば直接かつ明確に認識することができるであろう。
【００４１】
上記及びその他の態様は、添付の図面を参照しながら以下の具体的な説明を読むことで明らかになるだろう。
【図面の簡単な説明】
【００４２】
【図１】本発明の一実施形態による背面アクセス型情報記録媒体アイテムの提供装置の簡単な概略図である。
【図２】３つの異なる動作位置にある図１の情報記録媒体アイテムの提供装置の一部（カムブロック）を示す図である。
【図３Ａ】４つの異なる位置にある図１の情報記録媒体アイテムの提供装置の別の部分（提供トラック、カムブロック及びキャリッジ）を示す図である。
【図３Ｂ】４つの異なる位置にある図１の情報記録媒体アイテムの提供装置の別の部分（提供トラック、カムブロック及びキャリッジ）を示す図である。
【図３Ｃ】４つの異なる位置にある図１の情報記録媒体アイテムの提供装置の別の部分（提供トラック、カムブロック及びキャリッジ）を示す図である。
【図３Ｄ】４つの異なる位置にある図１の情報記録媒体アイテムの提供装置の別の部分（提供トラック、カムブロック及びキャリッジ）を示す図である。
【図３Ｅ】レッジ位置のカムブロックと提供トラックの一部を示す図である。
【図４】開位置にある図１の情報記録媒体の提供装置の一部（キャリッジ）の斜視図である。
【図５】閉位置にある図４のキャリッジと図１の情報記録媒体の提供装置の別の一部（位置合わせデバイス）の側面図である。
【図６】図５のキャリッジ（閉位置）と位置合わせデバイスの斜視図である。
【図７】図５のキャリッジ（開位置）と位置合わせデバイスの側面図である。
【図８】図５のキャリッジ（開位置で位置合わせデバイスと係合状態）と位置合わせデバイスの斜視図である。
【図９】情報記録媒体アイテムの束を作成するための図１の情報記録媒体の提供装置の上記部分（キャリッジ、カムブロック、位置合わせデバイス、及び情報記録媒体搬送ユニット）の斜視図である。
【図１０】図１の情報記録媒体の提供装置の側面図である。
【図１１】本発明の別の実施形態による図１の背面アクセス型情報記録媒体アイテムの提供装置から再構成された前面アクセス型情報記録媒体アイテムの提供装置の簡単な概略図である。
【図１２】閉位置にある図１１の情報記録媒体の提供装置の一部（キャリッジ）の上側斜視図である。
【図１３】閉位置にある図１２のキャリッジの下側斜視図である。
【図１４】開位置にある図１２のキャリッジの左側面図である。
【図１５】開位置にある図１２のキャリッジの右側面図である。
【図１６】開位置にある図１２のキャリッジの前面及び一側面の図である。
【図１７】開位置にある図１２のキャリッジの背面及び一側面の図である。
【図１８】開位置にある図１２のキャリッジの背面図である。
【００４３】
提供された図面の幾つかは実際の物理的実施形態を生成できるコンピュータレンダリングに基づいていることに留意されたい。したがって、これらの図面の幾つかは、これらの実施形態の理解には必須でないが当業者に有用な情報を伝える複雑な詳細を含んでいる。したがって、図面に示すすべての部分について具体的に言及はしない。さらに、図を見やすくし、多数の引出し線によって図面を煩雑にすることを回避するため、一部の図面では参照番号を一部割愛している。さらに、幾つかの図面では特徴の一部を取り除いてさらに見やすさを高めている。
【発明を実施するための形態】
【００４４】
まず図１について説明する。図１は、本発明の一実施形態による背面アクセス型情報記録媒体アイテムの提供装置１０（紙幣提供装置の形態）の簡単な概略図である。
【００４５】
紙幣提供装置１０は、シャーシ１２と、着脱可能なノーズ１４と、ディスペンサ（図示せず）のピックユニット（図示せず）に結合する紙幣搬送ユニット１６と、多区画パージビン１８と、キャリッジ２０と、カムブロック２２と、位置合わせデバイス２４と、着脱可能なトラック２６と、制御盤（点線２８で示す）とを備える。
【００４６】
シャーシ１２は、ハンドル端３０（通貨カセットハンドルが位置する端部）から取得端３２（ピックユニット（図示せず）からの搬送物に整列する端部）へ延在する。シャーシ１２は、その上部の中央に位置し、中央のハンドル端３６から中央の取得端３８へ延在する中央トラック３４を含む。
【００４７】
着脱可能なノーズ１４は、ノーズ１４の連結端４０からノーズ１４の提供端４２へ延在して、中央トラック３４に整列してそれに沿って連続するトラックを提供するノーズトラック３９を含む。
【００４８】
所定位置に装着された着脱可能なトラック２６は、ハンドル端３０から中央のハンドル端３６へ延在する。ハンドル端３０と中央のハンドル端３６との間の距離は、中央取得端３８と取得端３２との間の距離にほぼ等しい。
【００４９】
背面アクセス型提供装置１０では、着脱可能なトラック２６はシャーシ１２のハンドル側に装着され、前面アクセス型提供装置（下記）では、着脱可能なトラック２６はシャーシ１２の取得端側に装着されている。
【００５０】
着脱可能なトラック２６、中央トラック３４、及びノーズトラック３９はすべて直線的に整列して結合し、組み合わさってシャーシ１２のハンドル端３０からノーズ１４の提供端４２へ延在する提供トラック（矢印４８で示す）を提供する。キャリッジ２０は、提供トラック４８の全長にわたって直線的に移動可能である。
【００５１】
提供トラック４８は１つしか示していないが、提供装置１０は２つの着脱可能なトラック２６と２つの中央トラック３４とを含み、着脱可能なノーズ１４は２つのノーズトラック３９を含むため、シャーシ１２は各々がシャーシ１２の反対側に位置する２つの平行な提供トラック４８を含む。キャリッジ２０は、両方の提供トラック４８に同時に係合する（キャリッジ２０の対向する側の各々は別々の提供トラック４８に係合する）。しかし、図を見やすくするために、図１では１つの提供トラック４８だけを示している。
【００５２】
次に、３つの異なる操作位置のカムブロック２２を示す３つの図である図２Ａ〜図２Ｃについて説明する。
【００５３】
カムブロック２２は、プラスチック製の円形ブロックを含む。カムブロック２２は、制御盤２８によって駆動されるカムモータ（図示せず）からの駆動力を受ける歯付きの円周６０を含む。これによって、カムブロック２２は必要に応じて時計回り又は反時計回りに回転できる。
【００５４】
カムブロック２２は、湾曲したカムトラック６２と、カムブロック２２の円周上の１点から湾曲したトラック６２へ延在する直線のリードイントラック６４と、カムブロック２２の円周上の１点からカムブロック２２の円周上の反対側の点へ延在するレッジトラック６６（すなわち、レッジトラック６６は弦である）とを画定する。湾曲したカムトラック６２は、オフセット中心点６８で終了する。湾曲したカムトラック６２は、上向きカム表面６２ｂ（カムフォロワを上昇させる）の反対側に下向きカム表面６２ａ（カムフォロワを下降させる）を含む。
【００５５】
４つの異なる位置にある提供トラック４８と、カムブロック２２と、キャリッジ２０とを示す図３Ａ〜図３Ｄについて説明する。４つの位置とは、提供パージ位置（図３Ａ）と、積載位置、キャリッジ閉（図３Ｂ）と、積載位置、キャリッジ開（図３Ｃ）と、提供位置（図３Ｄ）とである。
【００５６】
図３Ａ〜図３Ｄは、提供トラック４８（ノーズトラック３２と、中央トラック３４と、着脱可能なトラック２６とによって形成される）と、カムブロック２２と、カムブロック位置センサ７０と、それに沿って直線移動する提供トラック４８上に装着されたキャリッジ２０とを示す。カムブロック位置センサ７０は、カムブロック２２が装着されたシャフト上に装着された磁性ターゲットと協働する磁気センサを使用できる。これによって、カムブロック位置センサ７０は、シャフトの回転位置を検知してカムブロック２２の回転位置を推定することができる。
【００５７】
図３Ａは、紙幣の束をパージビン１８に搬送するための提供パージ位置にあるキャリッジ２０を示す。以下に詳述するように、この位置で紙幣の束が顧客に提供されたが顧客によって取り出されなかった。
【００５８】
図３Ｂは、キャリッジ２０が閉位置にある積載位置のキャリッジ２０を示す。図２Ａに示すように、積載位置で、カムブロック２２は、カムブロック２２がカム開始位置に達するまでカムブロックモータ（図示せず）によって回転できる。
【００５９】
図３Ｃは、キャリッジ２０が開位置にある積載位置のキャリッジ２０を示す。図２Ｂに示すように、キャリッジ２０を閉位置から開位置へ移動させるために、カムブロック２２はキャリッジ開位置に達するまで回転する。
【００６０】
開位置のキャリッジ２０の斜視図である図４を参照しながらキャリッジ２０について詳述する。
【００６１】
キャリッジ２０は、キャリッジ本体７２と、紙幣をキャリッジ板７４上に配置できる開位置と、キャリッジ板７４とキャリッジ本体７２との間に紙幣をクランプする閉位置との間で移動可能なキャリッジ板７４とを備える。
【００６２】
キャリッジ本体７２は、キャリッジシャーシ７６と、上板７８をキャリッジ板７４側に弾性的に付勢する４つのばね入りアーム８０によってキャリッジシャーシ７６に結合された上板７８と、第１の紙幣センサ８２と、第２の紙幣センサ８３（図４には図示せず）と、第３の紙幣センサ８４と、上板７８に装着され、複数の伸縮ベルト９２を含む上部搬送部（全体を矢印９０で示す）と、キャリッジ２０を提供トラック４８に沿って移動させ（モータ９４ａ）また上部搬送部９０を作動させる（モータ９４ｂ）キャリッジシャーシ７６上に装着された１対のモータ９４ａ、ｂとをさらに備える。
【００６３】
キャリッジ本体７２は、リンク機構（全体を矢印９６で示す）によってキャリッジ板７４に結合される。リンク機構９６は、キャリッジ板７４をキャリッジ本体７２の一端（情報記録媒体入口端）１００に結合する１対のリンクアーム（入口リンクアーム）９８と、キャリッジ板７４をキャリッジ本体７２の反対側の端部（非入口端）１０４に結合する１対のリンクアーム（非入口リンクアーム）１０２とを備える。
【００６４】
入口リンクアーム９８は非入口リンクアーム１０２より長く、そのためキャリッジが開いている時に入口端１００は非入口端１０４より確実に低くなる。
【００６５】
紙幣センサ８２、８３、８４の各々は、対応するプリズム８６（図には２つのプリズムのうち１つだけを示す）に整列した光源を含む。第１及び第３の紙幣センサ８２、８４は、情報記録媒体入口端１００又は非入口端１０４に存在するいかなる紙幣も検出できる。
【００６６】
また、キャリッジ本体７２は、各々の対がキャリッジシャーシ７６の各々の側からキャリッジシャーシ７６の他方の側へ延在するシャフト上に装着された２対の駆動コグ１０６を含む。駆動コグ１０６は提供トラック４８に係合し、１対のモータ９４の１つ（キャリッジ移動モータ９４ａ）によって回転して、キャリッジ移動モータ９４ａの回転方向に応じて、提供トラック４８に沿ってキャリッジ２０を順方向（提供端４２側）又は逆方向（ハンドル端３０側）に移動させる。さらに、提供トラック４８に係合する２つの横方向にオフセットされた安定化コグ１０７がシャーシの各側に１つずつ提供される。安定化コグ１０７は駆動されないが、キャリッジ２０が提供トラック４８に沿って移動する時に傾くことを防止する。
【００６７】
キャリッジ板７４は、上面１０８と、下部搬送部１１０（１対の伸縮性無端ベルト１１２を含む）と、下部搬送部（全体を矢印１１０で示す）から直立した１対の側壁１１４と、側壁１１４から横方向に延在して提供トラック４８に至るカムフォロワ（ピン上に装着されたすべり軸受の形態）１１６とをさらに備える。実際には、キャリッジ板７４の各側に１つずつ、２つのピン装着軸受１１６ａ、ｂがある。しかし、その片方（ピン装着軸受１１６ａ）だけがカムフォロワとして使用される。他方のピン装着軸受１１６ｂは、カムフォロワとしては使用されないが、キャリッジ２０が提供トラック４８に沿って移動する時に閉位置（積載位置以外）にキャリッジ板７４を維持するために使用される。
【００６８】
キャリッジ板７４は、複数の凹部１２２を画定する情報記録媒体入口端１００にバンパー１２０をさらに備える。
【００６９】
キャリッジ２０と位置合わせデバイス２４を様々な視点から見た図である図５〜図８について説明する。
【００７０】
位置合わせデバイス２４は、シャーシ１２に結合されたブラケット１３０と、１対の枢動ポイント１３４によってブラケット１３０に枢動自在に結合された支持板１３２と、前縁フィンガ１３６を枢動ポイント１３４側へ付勢するばね（図示せず）によって支持板１３２に摺動自在に結合されるベース１３８に相互に結合された複数のフィンガ（前縁フィンガ）１３６とを備える。さらに、図５に示すように、枢動ポイント１３４は、全体に水平の位置へ向けて支持板１３２を付勢するばね（図示せず）を含む。
【００７１】
前縁フィンガ１３６は、キャリッジ板７４の凹部１２２に整列するようにベース１３０上に配置される。
【００７２】
キャリッジ板７４が開位置へ移動すると、前縁フィンガ１３６がバンパー凹部１２２に進入することでバンパー１２０と組み合わされる（図８に最もよく示されている）。
【００７３】
キャリッジ２０上に駆動回路１４４が提供されてモータ９４を制御する。駆動回路１４４は、可撓性アンビリカルコネクタ（図示せず）によって制御盤２８に接続される。
【００７４】
図３Ａ〜図３Ｄ、図３Ｅを再度参照し、さらに位置合わせデバイス２４と組み合わさり、紙幣搬送ユニット１６に整列した開位置のキャリッジ２０を示す図９及び図１０について説明する。
【００７５】
提供トラック４８は、提供端４２からカムブロックギャップ１５２（図３Ｅ）以外のハンドル端３０へ延在するトラックシェルフ１５０（図１０に最もよく示されている）を含む。
【００７６】
図３Ｅに示すように、中央トラック３４は中央のハンドル端３６に１対の突起１５４を画定し、中央の取得端３８に１対の突起１５６を画定する。突起１５４は、着脱可能なトラック２６と着脱可能なノーズ１４の相補的な凹部（図示せず）内に収容される寸法である。同様に、突起１５６も、着脱可能なトラック２６と着脱可能なノーズ１４の相補的な凹部（図示せず）内に収容される寸法である。突起１５４、１５６は着脱可能なトラック２６と着脱可能なノーズ１４の開口（図示せず）に整列するねじ切りされた開口１５８を含むので、取付ねじ（図示せず）を挿入して中央トラック３４を着脱可能なトラック２６と着脱可能なノーズ１４の両方に固定して安定した単一の提供トラック４８を提供できる。
【００７７】
さらに図２Ａ〜図２Ｃについて説明する。キャリッジ２０が提供トラック４８に沿って移動すると、トラックシェルフ１５０はキャリッジ板７４が開くのを防止する。しかし、トラックシェルフ１５０内にはギャップ（カムブロックギャップ１５２）がある。このギャップは、レッジトラック６６をトラックシェルフ１５０に整列させることで充填できる。これは、図２Ｃに示すように、カムブロック２２が直線トラック（又はレッジ）位置まで回転した時に実現する。レッジ位置は、カムブロック２２を開始位置（図２Ａ）から約５５度反時計回りに回転させることで達成される。
【００７８】
カムブロック２２がレッジ位置にある時には（図２Ｃ）、キャリッジ板７４を開かずにキャリッジ２０を提供端４２からハンドル端３０へ移動させることができる。
【００７９】
しかし、カムブロック２２を開始位置まで回転させた場合（図２Ａに示すように）、トラックシェルフ１５０はリードイントラック６４によって部分的にしか完了しない。キャリッジ２０がハンドル端３０へ向けて十分に移動すると、カムフォロワ１１６ａはカムトラック６２内に落ち込む。しかし、キャリッジ板７４の閉位置から開位置への移動はカムトラック６２とリードイントラック６４との結合部でキャリッジ２０を停止させることでより正確に制御できるため、これは望ましくない。カムフォロワ１１６ａがカムトラック６２とリードイントラック６４との結合部にある時には、キャリッジ２０は積載位置にある。
【００８０】
キャリッジ２０が積載位置にある時には、カムブロック２２を約２７０度時計回りに回転させることで、カムフォロワ１１６ａがキャリッジ２０が開位置にあるオフセット中央ポイント６８に達するまでカムフォロワ１１６ａを下方に移動させることができる（カムフォロワ１１６ａの上面を押し下げる下向きカム表面６２ａの作用によって）（図２Ｂ、図３Ｃ、図４及び図７〜図１０に示すように）。
【００８１】
キャリッジ板７４がキャリッジの開位置の方へ移動すると、バンパー１２０が位置合わせデバイス２４と係合し、バンパー凹部１２２を前縁フィンガ１３６と組み合わせる。さらにキャリッジ板７４を開位置へ移動させると、バンパー１２０は支持板１３２を下方に枢動し（図７に最もよく示されている）、ベース１３８を枢動ポイント１３４から引き離す。これによって、前縁フィンガ１３６は、紙幣を積み上げる際の壁となる位置合わせ縁部１６０（図８に破線で示す）を提供する。
【００８２】
開位置のキャリッジ２０に整列した紙幣搬送ユニット１６とバンパー１２０によって完全に偏向した位置合わせデバイス２４とを示す図９及び図１０を参照しながら、キャリッジ板７４上の紙幣の積み上げについて説明する。
【００８３】
紙幣搬送ユニット１６は、協働する伸縮性無端ベルト及びローラ（個々に言及しない）を用いて主紙幣経路１６２（図１０に矢印の線で示す）を画定する。
【００８４】
紙幣搬送ユニット１６は、搬送中の各紙幣の厚さを検知し、搬送中の紙幣の傾きを検出する従来の紙幣（銀行券）厚さセンサ（ＮＴＳ）１６４を含む。また紙幣搬送ユニット１６は、方向転換ゲート１６６（概略が図１に最もよく示されている）を含む。方向転換ゲート１６６は、作動して紙幣厚さセンサ試験（ＮＴＳ１６４によって実施される）に不合格になった紙幣をすべて出口開口１６７を通してパージビン１８の単一の紙幣パージ区画１６８内へ方向転換する。紙幣は、例えば、紙幣に許容できない大きさの穴が開いているために、又は紙幣が許容できないほど傾いているために紙幣厚さセンサ試験に不合格になることがある。
【００８５】
紙幣が主搬送経路１６２から方向転換されない場合、主紙幣経路１６２の出口ポート１７０からキャリッジ板７４上に排出される。紙幣搬送ユニット１６は、紙幣が主紙幣経路１６２から排出される時にキャリッジ２０の情報記録媒体入口端１００の方へ情報記録媒体アイテムをフリックする第１の紙幣フリッカ１７２（図では見えにくいが図１０に示す）を出口ポート１７０に含む。第１の紙幣フリッカ１７２は比較的短く、紙幣搬送ユニット１６から排出される紙幣に順方向加速を付与する。
【００８６】
また、紙幣搬送ユニット１６は、第１の紙幣フリッカ１７２よりも長い第２の紙幣フリッカ１７４を出口ポート１７０に含む。第２の紙幣フリッカ１７４は、紙幣が主紙幣経路１６２から排出された後にキャリッジ板７４上へ紙幣を下方にフリックする。
【００８７】
出口ポート１７０からキャリッジ板７４上へ排出される各々の紙幣は、一部分は紙幣に作用する重力の力によって、しかし大部分は排出される紙幣を位置合わせ縁部１６０の方へ付勢する第２の紙幣フリッカ１７４によって位置合わせ縁部１６０に下側の長い縁部を整列させている。
【００８８】
所望の紙幣がすべてキャリッジ板７４上へ排出されると、カムブロック２２を回転させて開始位置まで戻すことができる（図２Ａに示すように）。この処理では、カムブロックモータ（図示せず）がカムブロック２２を約２７０度反時計回りに回転させる。これが実行されると、上向きカム表面６２ｂがカムフォロワ１１６ａがカムトラック６２とリードイントラック６４との結合部に達するまでカムフォロワ１１６ａの下面を押し上げる。カムフォロワ１１６ａが上昇するにつれて、支持板１３２が全体に水平の位置（枢動ポイント１３４内のばねのために）へ向けて戻り、ベース１３８はベースばね（図示せず）によって枢動ポイント１３４の方へ付勢される。これによって、前縁フィンガ１３６はキャリッジ板７４を追跡し、閉位置から開位置へのキャリッジ板の経路（本明細書では閉鎖経路と呼ぶ）の一部（第１の部分）で位置合わせ縁部１６０をキャリッジ板７４上の紙幣のスタックに接触させた状態に保つ。
【００８９】
入口リンクアーム９８及び非入口リンクアーム１０２は、閉鎖経路の第２の部分中にキャリッジ板７４（及びその上の紙幣のスタック）が浅い角度で上板７８に確実に接近するようにする寸法である。これによって、前縁フィンガ１３６が紙幣のスタックに位置合わせ縁部１６０を提供することを停止した時に紙幣のスタックがキャリッジ板７４から滑落しないようにする。前縁フィンガ１３６が紙幣のスタックへの接触を停止するポイントは、閉鎖経路の第１の部分の終点と閉鎖経路の第２の部分の始点とを画定する。
【００９０】
閉鎖経路の終点で、キャリッジ板７４が上板７８に接近すると、ばね入りアーム８０が、上板７８によってスタックの最上部の紙幣の上面の大半又は全部に適切な力が確実に加わるようにする。これによって、紙幣のスタックの縁部が挟持されることが防止される。スタックの縁部の挟持によって、スタックははみ出し、顧客にスタックを確実に提供することがより困難になる。
【００９１】
キャリッジ板７４が閉位置に達すると、提供装置１０はいつでも紙幣の束（又はスタック）を顧客に提供することができる。
【００９２】
これは、キャリッジシャーシ７６の各側の駆動コグ１０６を回転させてキャリッジ２０を提供位置へ移動させるキャリッジ移動モータ９４ａによって実施される（図３Ｄ）。キャリッジ２０が提供位置に達すると（位置センサ（図示せず）によって確認されるように）、ベルト搬送モータ９４ｂが上部及び下部搬送部９０、１１０を駆動して、顧客が取り出せるように情報記録媒体入口端１００から部分的に突き出るように紙幣の束（図３Ｄで束１７６として示す）を搬送する。
【００９３】
顧客が紙幣の束を取り出した場合、それが第１の紙幣センサ８２によって検出され（センサ８２は情報記録媒体入口の紙幣の存在の検出を停止する）、図３Ｂに示すように、キャリッジ移動モータ９４ａはキャリッジ２０を積載位置まで戻す。
【００９４】
顧客が紙幣の束を取り出さない場合（又は束になった紙幣の一部だけを取り出した場合）、それが第１の紙幣センサ８２によって検出される（センサ８２は情報記録媒体入口の紙幣の検出を継続する）。ベルト搬送モータ９４ｂは、紙幣の束１７６がキャリッジ２０内に満杯になるように上部及び下部搬送部９０、１１０を逆方向に駆動して紙幣の束１７６を戻す。
【００９５】
次に、制御盤２８はキャリッジ移動モータ９４ａ及び駆動コグ１０６を用いて提供パージ位置（図３Ａ）へキャリッジ２０を移動させる。
【００９６】
これを実施するため、キャリッジ２０は、ブランク端４４へ向けて積載位置の先まで提供トラック４８に沿って移動しなければならない。これを可能にするために、カムブロックギャップ１５２は閉じていなければならない。図２Ｃに示すように、これはカムブロック２２をレッジ位置まで回転させることで達成できる。これが実行されると、キャリッジ２０は積載位置を過ぎて提供パージ位置へ移動できる。
【００９７】
提供パージ位置で、上部及び下部搬送部９０、１１０はキャリッジ２０から非入口端１０４を介してパージビン１８の上面に画定された提供束スロット１８２からパージビン１８の提供束パージ区画１８０（図１及び図１０に最もよく示されている）内へ紙幣の束を搬送する。第３の紙幣センサ８４は、紙幣の束１７６がいつキャリッジ２０から排出されたかを検出する。これが起こると、紙幣の束１７６は提供束スロット１８２に入り、キャリッジ２０は制御盤２８がキャリッジ移動モータ９４ａを駆動して駆動コグ１０６を回転させることで積載位置に戻る。
【００９８】
この実施形態では、提供パージ位置よりもハンドル端３０に近い第２のパージ位置（非提供パージ位置）がある。これは、紙幣の束１７６が顧客に提供されない（したがって、顧客の不正の可能性がない）パージ動作に使用される。非入口端がパージビン１８の上面によって画定された非提供束スロット１８４に整列した時にキャリッジ２０は第２のパージ位置にある。非提供束スロット１８４は、非提供束パージ区画１８６の上方に位置する。非提供束パージ区画１８６を使用する理由は幾つかある。例えば、一束の紙幣を完成するのに紙幣が足りない場合、スタック動作中に停電になった場合、単一の紙幣パージ区画１６８が満杯で、紙幣搬送ユニット１６内の搬送された紙幣をパージビン１８へ方向転換する必要がある場合、束を提供する前に顧客が取引を取り消した場合、構成要素の１つに障害があって自動復旧工程を実施する必要がある場合、又は束を提供する前に不正が試みられた場合がそれにあたる。
【００９９】
顧客によって取り出されなかったためにパージされた紙幣の束、又はキャッシュディスペンサの内部的な問題のためにパージされた紙幣の束のために別の区画を用意することで、顧客の不正による可能性がある（すなわち、束の紙幣の一部を取り出したが全部は取り出さない場合）取引を識別し調停することが容易になる。
【０１００】
上記の提供装置１０によって制御された形で紙幣の束をキャリッジ２０内に積載することができ、キャリッジ２０を提供位置（図３Ｄ）へ移動させて紙幣の束を顧客へ提供でき、又は顧客が束の紙幣を全部取り出さない場合には、提供パージ位置（図３Ａ）へキャリッジ２０を移動させることができる。
【０１０１】
本発明の別の実施形態による前面アクセス型紙幣提供装置２１０の簡単な概略図である図１１を参照しながら以下に説明するように、上記の提供装置１０は前面アクセス型ディスペンサ内で使用するように再構成できるという利点を有する。
【０１０２】
提供装置２１０内で使用する構成部分は、紙幣提供装置１０の構成部分とほぼすべてが同じである。
【０１０３】
提供装置２１０内で、シャーシ１２、紙幣搬送ユニット１６、パージビン１８、カムブロック２２、位置合わせデバイス２４、及び中央トラック３４は提供装置１０内の対応する構成部分と同じである。構成部分が同じであるため、同じ参照番号を用いている。
【０１０４】
提供装置２１０と提供装置１０との間の相違点は、（ｉ）提供装置２１０内のキャリッジ２２０は提供装置１０内のキャリッジ２０とは異なった構成である、（ｉｉ）提供装置２１０内の着脱可能なノーズ１４は提供装置１０内の着脱可能なノーズ１４とは逆のシャーシ１２の側に位置する、（ｉｉｉ）提供装置２１０内の着脱可能なトラック２６は提供装置１０内の着脱可能なトラック２６とは逆のシャーシ１２の側に位置する、という点である。
【０１０５】
着脱可能なノーズ１４と着脱可能なトラック２６は提供装置１０内の対応する構成部分と同じであり、それらの位置が入れ替わっているだけであるため、本明細書では詳述しない。しかし、これは、提供端４２が提供装置１０の提供端４２とは逆の提供装置２１０の側にあるということを意味する。新しい提供トラック２４８は、提供トラック４８と長さは同じであるが提供トラック４８とは逆の提供装置の側から突き出ている。
【０１０６】
同一の構成部分を使用していても、キャリッジ２２０はキャリッジ２０とは異なった構成である。
【０１０７】
異なった視点からのキャリッジ２２０の図である図１２〜図１８について説明する。キャリッジ板７４は変化がないが、キャリッジ本体２７２は１８０度回転している（キャリッジ本体７２に対して）。さらに、リンク機構は再構成されている。
【０１０８】
キャリッジ２０では、入口リンクアーム９８が非入口リンクアーム１０２よりも１対のモータ９４から離れた位置に装着されている。これに対して、キャリッジ２２０では、入口リンクアーム２９８が非入口リンクアーム３０２よりも１対のモータ９４に近い位置に装着されている（図１４及び図１５を図７と比較して最もよく分かる）。これは、キャリッジ２０内の入口端１００が１対のモータ９４の遠位側にあり、キャリッジ２２０内の入口端３００が１対のモータ９４の近位側にあることによる。
【０１０９】
リンクアーム９８はリンクアーム２９８と同一であり、唯一の相違点はそれらがキャリッジ本体７２、２７２の異なる場所に接続されているということである。同様に、リンクアーム１０２はリンクアーム３０２と同一であり、唯一の相違点はリンクアーム１０２がキャリッジ本体７２の１つの場所に結合し、リンクアーム３０２がキャリッジ板２７２の別の場所に結合しているということである。
【０１１０】
伸縮性無端ベルト９２を駆動するベルトの幾つかの引き回しのために、上部搬送部２９０は上部搬送部９０とは多少異なった構成になっている。キャリッジ板７４上には２つのピン装着軸受１１６ａ、ｂが提供されているが、片方のピン装着軸受１１６ａだけがカムフォロワとして使用される。他方のピン装着軸受１１６ｂは、キャリッジ板７４を閉位置に保持し、新しい提供トラック２４８に沿ったキャリッジ２２０の搬送を容易にするために使用される。
【０１１１】
キャリッジ２２０の動作はキャリッジ２０の動作と同じであるため詳述しない。
【０１１２】
同一の構成部分を用いて前面アクセス型ディスペンサ又は背面アクセス型ディスペンサで使用する提供装置を製造できることを理解されたい。さらに、着脱可能なノーズと着脱可能なトラックの位置を入れ替え、キャリッジを再構成することで、提供装置を前面アクセス型提供装置から背面アクセス型提供装置へ、またその逆に変換することができる。
【０１１３】
本発明の範囲内で上記実施形態に様々な変更を加えることができる。例えば、別の実施形態では、クーポン、チケット、パス、引換券などの紙幣以外の情報記録媒体アイテムに提供装置を使用してもよい。
【０１１４】
別の実施形態では、上記のリンク機構とは異なるリンク機構、例えば、摺動アームを使用してもよい。
【０１１５】
別の実施形態では、カムブロックは、上記の形状とは異なる形状、例えば、四角形を有していてもよい。
【０１１６】
別の実施形態では、提供装置はその間にキャリッジが装着される１対の提供トラックではなく、単一の提供トラックを含んでもよい。
【０１１７】
上記実施形態では、キャリッジ板の両側にカムフォロワが提供されているので、１８０度回転した時もキャリッジを使用できる。しかし、別の実施形態では、１つの構成でしかキャリッジを使用しない場合、１つのカムフォロワだけを提供してもよい。そのようなカムフォロワはカムブロックに最も近いキャリッジ板の側に装着される。
【０１１８】
上記実施形態では、単一の紙幣パージ区画が壁を分割することで、提供束紙幣パージ区画及び非提供束紙幣パージ区画から分離される。別の実施形態では、パージビンは、単一の紙幣パージ動作のための１つの入口スロットと両方の束紙幣パージ動作のための別のスロットとを有する単一領域を含んでもよい。
【０１１９】
別の実施形態では、必要な長さのノーズを使用できるように長さが異なる一組の着脱可能なノーズを提供してもよい。これは、情報記録媒体の提供装置を異なるセルフサービス端末で使用する場合、またセルフサービス端末によってフェーシア上のディスペンサ開口と情報記録媒体ディスペンサシャーシとの間の距離が異なる場合に有用である。
【０１２０】
本明細書に記載する方法ステップは、適宜任意の適切な順序で、又は同時に実行することができる。
【０１２１】
本明細書では、「備える」、「含む」、「組み込む」及び「有する」という用語は、限定されたリストではなく、１つ又は複数の要素又はステップの拡張可能なリストを記載するために使用される。そのような用語が使用される時には、リスト内に記載した要素又はステップはリストに追加できる他の要素又はステップを除外するものではない。
【図１】
0005875178.tif 000002
【図２】
0005875178.tif 000003
【図３Ａ】
0005875178.tif 000004
【図３Ｂ】
0005875178.tif 000005
【図３Ｃ】
0005875178.tif 000006
【図３Ｄ】
0005875178.tif 000007
【図３Ｅ】
0005875178.tif 000008
【図４】
0005875178.tif 000009
【図５】
0005875178.tif 000010
【図６】
0005875178.tif 000011
【図７】
0005875178.tif 000012
【図８】
0005875178.tif 000013
【図９】
0005875178.tif 000014
【図１０】
0005875178.tif 000015
【図１１】
0005875178.tif 000016
【図１２】
0005875178.tif 000017
【図１３】
0005875178.tif 000018
【図１４】
0005875178.tif 000019
【図１５】
0005875178.tif 000020
【図１６】
0005875178.tif 000021
【図１７】
0005875178.tif 000022
【図１８】
0005875178.tif 000023